(57)【要約】【課題】  複写前に視認される画像と複写後に視認される画像の一部が重複して形成された印刷物であっても、複写前に視認される画像が複写後に視認される画像に影響することなく、明瞭に入れ替わり、真偽判別性に優れる複写、改竄防止用印刷物を提供するものである。【解決手段】    基材の少なくとも一部に、複写機で再現可能な第１の画線が複数配列されて成る背景部と、複写機で再現不可能な第２の画線が複数配列されて成る潜像部と、複写機で再現不可能な第３の画線と第１の画線が交互に複数配列されて成る可視画像部と、第２の画線と第３の画線が交互に複数配列されて成る共通画像部から成る複写けん制領域を形成する。このとき、潜像部と背景部及び可視画像部と共通画像部は濃度が等しく、かつ、可視画像部と共通画像部の濃度が、潜像部と背景部の濃度より高く形成する。【選択図】  図１
2014117892.tif 000002
【特許請求の範囲】
【請求項１】
基材上の少なくとも一部に印刷画線が万線状に配列された複写けん制領域を有し、
前記複写けん制領域は、複写機で再現可能な第１の大きさの第１の画線が一定のピッチで複数配列されて成る背景部と、
複写機で再現不可能な第２の大きさの第２の画線が前記一定のピッチで複数配列されて成る潜像部と、
前記第２の大きさとは同じ又は異なる複写機で再現不可能な第３の大きさの第３の画線と前記第１の画線が、交互に前記一定のピッチで複数配列されて成る可視画像部と、
前記第２の画線と前記第３の画線が、交互に前記一定のピッチで複数配列されて成る共通画像部から成り、
前記潜像部と前記背景部及び前記可視画像部と前記共通画像部は濃度が等しく、かつ、前記可視画像部と前記共通画像部の濃度が、前記潜像部と前記背景部の濃度より高く形成され、
前記潜像部と前記背景部より濃度の高い前記可視画像部と前記共通画像部によって可視画像が形成され、複写機で再現不可能な大きさの画線を有する前記潜像部と前記共通画像部によって潜像画像が形成されたことを特徴とする複写、改竄防止用印刷物。
【請求項２】
前記第１の画線と前記第２の画線は同一線上に配置されていることを特徴とする請求項１記載の複写、改竄防止用印刷物。
【請求項３】
前記第２の画線及び前記第３の画線が、画線部と非画線部が一定の周期で繰り返される破断線で形成される場合、前記第２の画線を構成する画線部と非画線部の周期と、前記第３の画線を構成する画線部と非画線部の周期が異なることを特徴とする請求項１又は２記載の複写、改竄防止用印刷物。
【請求項４】
前記背景部と前記潜像部の面積率が等しいことで、前記潜像部と前記背景部の濃度が等しく、前記可視画像部と前記共通画像部の面積率が等しいことで、前記可視画像部と前記共通画像部の濃度が等しいことを特徴とする請求項１乃至３のいずれか１項に記載の複写、改竄防止用印刷物。
【発明の詳細な説明】
【技術分野】
【０００１】
本発明は、銀行券、株券、債券等の有価証券、各種証明書及び重要書類等の偽造、改竄を防止する必要性がある印刷物において、カラー複写機又はモノクロ複写機により複写した場合に容易に真偽判別することができる複写、改竄防止用印刷物に関するものである。
【背景技術】
【０００２】
銀行券、株券、債券等の有価証券、各種証明書及び重要書類等の印刷物において、偽造、改竄防止策は、重要な要素である。これらの印刷物の偽造、改竄防止策は、主に、幾何学模様を多様化した図柄をデザインに用いる方法と、印刷物に対し、何等かの手段と作用を加えることで目視では認識することができなかった潜像が現出するような方法がある。前者の代表的な例は、証券印刷物等のデザインに広く用いられている地紋、彩紋模様及びレリーフ模様等があり、後者の代表的な例は、潜像凹版、カラー複写機で色が正常に再現されないような機能性インキ、コピー防止画線等がある。
【０００３】
前述の幾何学模様を用いる偽造、改竄防止策としては、地紋、彩紋模様、レリーフ模様等があり、基本的に一定の画線幅による曲画線の集合によって模様を構成しているものである。これらの模様は、印刷物のデザイン等の意匠性を加味し、偽造、改竄防止策を施すことができ、模様を複雑にすることによって、偽造物において同一の模様を作製することを困難とし、カラー複写機では再現されにくい色彩を用いることや、複雑な曲画線を用いることでカラー複写機、モノクロ複写機又はスキャナの走査入出力に対してモアレを発生させることで偽造防止策としての役割を高めている。また、前述の模様類は、証券印刷物等のデザインにおいて世界的に広く用いられていると同時に、銀行券、株券、債券等の金銭的価値を有する印刷物の模様として古くから用いられ、現在でも一般的に高級感を印象付けるデザインとして重要な模様となっている。したがって、銀行券、株券、債券等の有価証券、各種証明書及び重要書類等の印刷物において、地紋、彩紋模様及びレリーフ模様等は、デザイン上欠かすことのできない模様である。しかし、最近では、高機能化した写真製版装置、カラー複写機又はモノクロ複写機の出現によって、充分な偽造、改竄防止効果をもたらしていないという欠点がある。
【０００４】
また、前述の印刷物に対し、何等かの手段と作用を加えることで、目視では認識することができなかった潜像が現出するような方法の代表的な技術として、一般的にコピー防止画線と称する一連の技術がある。また、用紙の表面に網点で潜像を印刷し、万線で潜像と同濃度の背景を同時印刷し、背景を含む潜像の上面に装飾模様をコピーで再現されない程度の薄色の透明性インキで重ね刷りすることにより、印刷物表面を体裁良く仕上げ、コピーにかけると模様は見えなくなり、背景は再現されるとともに、潜像は再現されず、背景と潜像の濃度差が歴然となって複写物であることが一見して分かるといった方法は、これまでも数多くの出願がある。
【０００５】
それらの発明の多くは、網点又は万線等の点及び線が一定周期で連続配置する画線群（以下「スクリーンパターン」という。）の粗密によって潜像が施され、印刷物に示すように、印刷面全体の模様が均一濃度を持ったスクリーンパターンとなっている。この潜像が施された印刷物において、カラー複写機又はモノクロ複写機によって複写した際、再生されない密構成のスクリーンパターンと、再生される粗構成のスクリーンパターンとは、複写物の模様に示すように濃度差が生じて、再生される粗構成のスクリーンパターンに対して、再生されない密構成のスクリーンパターンの潜像部分が現出するようにして、複写物であることが一目瞭然となるようにしたものである。
【０００６】
また、本願出願人も、用紙表面に網点又は万線等のパターンからなる潜像と、該潜像周囲に前述の潜像とは粗密が異なるパターンからなる背景を１色で同時印刷した印刷物において、該潜像を施した潜像模様が肉眼では識別されないことを特徴とする複写防止に適する印刷物として、潜像をカムフラージュするための別の模様や薄色の透明インキ、さらには、淡色の重ね刷りを施さず、白抜きの円形模様や、全面的なスクリーンパターンに対する部分的なスクリーンパターンの網点パーセントを増加した同心円模様等で、カムフラージする方法を既に出願している（例えば、特許文献１参照。）。しかし、印刷面全体がスクリーンパターンであるという特徴から、近年の高機能化した製版及び印刷出力装置では、その画線構成を容易に再現することができてしまう問題があった。
【０００７】
また、万線と網点のいずれか一方を構成子として潜像を形成し、かつ、他方を構成子として背景を形成し、万線が５０線１０％、網点が１５０線１０％であるフィルム原版において、潜像の画線と背景の画線の全体をカムフラージュするために、１７５線１０％の網点からなる地紋を組み込み、一度刷りで用紙に印刷を施すという画線構成が既に出願されている（例えば、特許文献２参照。）。しかし、全体に１７５線１０％の網点からなる地紋は、潜像又は背景を構成する万線及び網点と一部連結して大きくなることから、コピーで再現されることがあり、地紋が完全に消えることはない。
【０００８】
そこで、これらの問題点を解決するために、本願出願人は、カラー複写機又はモノクロ複写機に対してより効果のあるものにするために、更に改良を加えた。具体的には、曲線状の集合模様を、潜像を施さない部分の画線を連続線、潜像を施した部分の画線を基本線方向に一定の間隔で配列された形状の画線からなる定周期断絶線で構成し、潜像を施した部分の定周期断絶線のうち、基本線方向に連続した一つの画線部と非画線部からなる一周期に相当する部分の画線面積の総和が、潜像を施さない部分の連続線のうち、前述の潜像部における画線部と非画線部からなる一周期と同一の長さに相当する部分の画線面積と等しくし、更に、潜像を施した部分の定周期断絶線となっている画線において、定周期断絶線の画線同士が交差する部分で、画線同士のどちらか一方の画線を、もう一方の画線の画線幅の範囲内で削除することを特徴とした、複写防止模様の作成方法及びその印刷物を出願している（例えば、特許文献３参照。）。
【０００９】
さらに、本願出願人は、直線又は曲線状の１本又は複数の直線又は曲線からなる画線模様を、潜像を施さない部分の画線を実線で、潜像を施した部分の画線を基本線方向を基準として等距離により複数に分岐し、複数に分岐した画線がそれぞれ一定の間隔で配列された形状の画線からなる定周期断絶線で構成した印刷物において、潜像を施した部分の画線は基本線方向に複数に分岐した画線部と非画線部からなる一周期に相当する部分の画線面積の総和が、潜像を施さない部分の実線のうち、前述の潜像部における画線部と非画線部からなる一周期と同一の長さに相当する部分の画線面積と等しくすることにより、複写すると非視認性となり、複写前に視認される画像を構成する画線は、前述の潜像部における画線部と非画線部からなる一周期と同一の長さに相当する部分の画線面積より大きくするといった印刷物を出願している（例えば、特許文献４参照。）。この印刷物は、カラー複写機又はモノクロ複写機での複写後には、不可視画像であった潜像が現れ、そして、可視画像であった模様が入れ替わるように観察することができることで真偽判別性を高めている。
【先行技術文献】
【特許文献】
【００１０】
【特許文献１】特許第２６９５５２３号公報
【特許文献２】実用新案第３０１０３６５号公報
【特許文献３】特許第３２６８４１８号公報
【特許文献４】特許第３６８９７８６号公報
【発明の概要】
【発明が解決しようとする課題】
【００１１】
特許文献３及び特許文献４で示されたように、カラー複写機又はモノクロ複写機での複写後には、不可視画像であった潜像が現れ、そして、可視画像であった模様が入れ替わるように観察することができることは、印刷物の真偽判別において判別性をより高めるものとして有効とされている。しかし、特許文献４の印刷物は、可視画像であった模様が完全に入れ替わるものでなく、可視画像と潜像が重なっている部分については可視画像が優先され、潜像が部分的に欠けた状態となり、複写後に視認される画像の視認性を向上させるという課題がある。
【課題を解決するための手段】
【００１２】
本発明の複写、改竄防止用印刷物は、基材上の少なくとも一部に印刷画線が万線状に配列された複写けん制領域を有し、複写けん制領域は、複写機で再現可能な第１の大きさの第１の画線が一定のピッチで複数配列されて成る背景部と、複写機で再現不可能な第２の大きさの第２の画線が一定のピッチで複数配列されて成る潜像部と、第２の大きさとは同じ又は異なる複写機で再現不可能な第３の大きさの第３の画線と第１の画線が、交互に一定のピッチで複数配列されて成る可視画像部と、第２の画線と第３の画線が、交互に一定のピッチで複数配列されて成る共通画像部から成り、潜像部と背景部及び可視画像部と共通画像部は濃度が等しく、かつ、可視画像部と共通画像部の濃度が、潜像部と背景部の濃度より高く形成され、潜像部と背景部より濃度の高い可視画像部と共通画像部によって可視画像が形成され、複写機で再現不可能な大きさの画線を有する潜像部と共通画像部によって潜像画像が形成されたことを特徴とする。
【００１３】
また、本発明の複写、改竄防止用印刷物は、第１の画線と第２の画線は同一線上に配置されていることを特徴とする。
【００１４】
また、本発明の複写、改竄防止用印刷物は、第２の画線及び第３の画線が、画線部と非画線部が一定の周期で繰り返される破断線で形成される場合、第２の画線を構成する画線部と非画線部の周期と、第３の画線を構成する画線部と非画線部の周期が異なることを特徴とする。
【００１５】
さらに、本発明の複写、改竄防止用印刷物は、背景部と潜像部の面積率が等しいことで、潜像部と背景部の濃度が等しく、可視画像部と共通画像部の面積率が等しいことで、可視画像部と共通画像部の濃度が等しいことを特徴とする。
【発明の効果】
【００１６】
本発明の複写、改竄防止用印刷物は、複写前に視認される画像と複写後に視認される画像の一部が重複して形成された印刷物であっても、複写前に視認される画像が複写後に視認される画像に影響することなく、明瞭に入れ替わり、真偽判別性に優れる。
【図面の簡単な説明】
【００１７】
【図１】複写、改竄防止用印刷物における各画像部の構成を示す図
【図２】複写、改竄防止用印刷物の反射光下で観察される画像と複写された複写物において観察される画像を示す図
【図３】複写けん制領域における画線配列に伴う複写前の濃度関係を示す図
【図４】複写けん制領域における画線配列に伴う複写後の濃度関係を示す図
【図５】複写、改竄防止用印刷物における背景部の構成を示す図
【図６】複写、改竄防止用印刷物における潜像部の構成を示す図
【図７】複写、改竄防止用印刷物における背景部と潜像部の境界部分の構成を示す図
【図８】複写、改竄防止用印刷物における可視画像部の構成を示す図
【図９】複写、改竄防止用印刷物における共通画像部の構成を示す図
【図１０】複写、改竄防止用印刷物を複写したときの各画像部の状態を示す図
【図１１】複写、改竄防止用印刷物の別の態様における複写前の状態を示す図
【図１２】複写、改竄防止用印刷物の別の態様における複写後の状態を示す図
【図１３】実施例１の複写、改竄防止用印刷物の各画像部の構成を示す図
【図１４】実施例２の複写、改竄防止用印刷物の各画像部の構成を示す図
【図１５】実施例３の複写、改竄防止用印刷物の各画像部の構成を示す図
【発明を実施するための形態】
【００１８】
本発明を実施するための形態について、実施例に基づいて図面を参照して以下詳細に説明する。図１に本発明における複写、改竄防止用印刷物（１）を示す。複写、改竄防止用印刷物（１）は、図１（ａ）に示すように、基材（２）の上の少なくとも一部に、複写けん制領域（３）を有し、複写けん制領域（３）には、印刷画線（４）が万線状に配置される。複写けん制領域（３）に配置される印刷画線（４）の詳細な構成については後述するが、複写けん制領域（３）は、図１（ｂ）に示すように、異なる構成の印刷画線（４）がそれぞれ配置された各部位で構成される。
【００１９】
異なる印刷画線から構成されている各部位の詳細を、図１（ｃ）〜図１（ｆ）により説明する。まず、本例では、可視画像（９）を「星」とし、潜像画像（１０）を「月」として説明する。図１（ｃ）は、可視画像（９）と潜像画像（１０）の背景となる背景部（８）、図１（ｄ）は、潜像画像（１０）を構成する画線のみで形成されている潜像部（６）、図１（ｅ）は、可視画像（９）を構成する画線のみで形成されている可視画像部（５）、更に、図１（ｆ）は、可視画像（９）と潜像画像（１０）が重複した領域の共通画像部（７）となっている。また、複写けん制領域（３）は、可視画像部（５）と共通画像部（７）から成る可視画像（９）と、潜像部（６）と共通画像部（７）から成る潜像画像（１０）を備えている。
【００２０】
説明の便宜上、図１に示された複写けん制領域（３）の中には、「星」と「月」の図柄が視認されが、反射光下で観察される画像は、図２（ａ）に示されたように、背景部（８）と潜像部（６）とは濃度が等しく、また、可視画像部（５）と共通画像部（７）とは濃度が等しく観察され、背景部（８）と潜像部（６）の濃度よりも、可視画像部（５）と共通画像部（７）の濃度が高く観察される。これにより、図２（ａ）に示すように、反射光下で観察される可視画像（９）の「星」の図柄を視認することができる。
【００２１】
図２（ｂ）は、図２（ａ）に示された複写、改竄防止用印刷物（１）をカラー複写機又はモノクロ複写機等で複写した複写物（１１）が示されたものである。複写物（１１）における複写けん制領域（１２）では、可視画像部（５）と背景部（８）とは濃度が等しく、また、潜像部（６）と共通画像部（７）とは濃度が等しく、背景部（８）と可視画像部（５）の濃度よりも、潜像部（６）と共通画像部（７）の濃度が低く観察されている。これにより、図２（ｂ）に示すように、複写物（１１）を反射光下で観察した場合に、潜像画像（１０）の「月」の図柄を視認することができ、複写、改竄防止用印刷物（１）がカラー複写機又はモノクロ複写機等で複写された複写物（１１）では、可視画像（９）と潜像画像（１０）が完全に入れ替わるという劇的な変化を奏することになる。このように、本発明の複写、改竄防止用印刷物（１）は、可視画像（９）と潜像画像（１０）の一部が重複していても、明瞭にチェンジすることで、真偽判別性を向上させている。以下、本発明の複写、改竄防止用印刷物（１）の詳細な構成について説明する。
【００２２】
まず、複写けん制領域（３）を構成している各画線の配列関係について、図３を用いて説明する。各画線の詳しい構成等は後述する。
【００２３】
図３に示すように、四つの画線は、等間隔のピッチで交互に配置された中心線（Ｌ１）と中心線（Ｌ２）上に配置される。なお、ここでの中心線は、印刷物を作製するにあたり、考慮する仮想線であり、実際に印刷物上に記載されている線ではない。この中心線（Ｌ１）と中心線（Ｌ２）の間隔は１５０〜３００μｍとすることが好ましい。
【００２４】
図３（ａ）は、中心線（Ｌ１）上に複写機で再現可能な大きさの実線を配置し、中心線（Ｌ２）は、何も配置せずに非画線としている。なお、複写機で再現可能な大きさ又は不可能な大きさの定義についての詳細は後述する。
【００２５】
図３（ｂ）は、中心線（Ｌ１）上に破断線状態となる画線を配置し、中心線（Ｌ２）は、何も配置せずに非画線としている。
【００２６】
図３（ｃ）は、中心線（Ｌ１）上に図３（ａ）と同じ実線を配置し、中心線（Ｌ２）上には、図３（ｂ）で配置した破断線よりも若干長辺方向が短い破断線を配置している。なお、図３（ｃ）で示した破断線は、上述のとおり、図３（ｂ）で示した破断線よりも若干長辺方向が短い破断線となっているが、必ずしも異ならせることは必須ではなく、同じであっても良い。重要なのは、複写機で再現不可能となる大きさ及び他の画線との関係による濃度調整に寄与する大きさとなれば良い。その詳細については、各画線構成の説明により後述する。
【００２７】
図３（ｄ）は、中心線（Ｌ１）上に図３（ｂ）と同じ破断線状態となる画線を配置し、中心線（Ｌ２）上には、図３（ｃ）と同じ破断線状態となっている画線を配置している。
【００２８】
このような各画線の配置を基本とすることで、図３（ａ）と図３（ｂ）は、目視上等濃度で視認することができることとなり、図３（ｃ）と図３（ｄ）は、目視上等濃度に視認することができることとなる。なお、図３（ａ）と図３（ｂ）及び図３（ｃ）と図３（ｄ）がそれぞれ等濃度に視認される理由については後述する。
【００２９】
この配置とした各画線のパターンを複写機で再現すると、図４（ａ）〜（ｄ）のような状態となる。図４（ａ）は、実線で描かれた領域は、そのまま複写機で再現されている。図４（ｂ）は、破断線で描かれた線が、複写機では再現することができずに、何も画線が描かれていない状態となっている。図４（ｃ）では、図４（ａ）と同じ実線の領域は、そのまま再現され、破断線で描かれた領域は、再現されていないため、実線のみの状態となり、図４（ａ）と同じ状態で再現されている。さらに、図４（ｄ）では、二つの破断線が複写機で再現されていないため、何も画線が描かれておらず、図４（ｂ）と同じ状態となっている。
【００３０】
以上のとおり、本発明の基本原理は、四つの異なる画線構成による画像部のうち、二つの画像部同士が等濃度として視認されていることから、各々の二つの画像部は、区分けすることができず、複写機で再現すると、目視のときとは異なる二つの画像部同士が同じ状態（等濃度）で再現されるために、その同じ状態の二つの画像部は区分けすることができない。
【００３１】
次に、複写けん制領域（３）内における四つの画像部を構成している画線の詳細について具体的に説明する。
【００３２】
（背景部）
図５は、背景部（８）の一部拡大図であり、背景部（８）に配置される印刷画線は、複写機で再現可能な第１の大きさの第１の画線（１３）であって、背景部（８）は、第１の画線（１３）が一定のピッチ（Ｐ１）で規則的に複数配置されて成る。このとき、第１の画線（１３）の幅（Ｗ１３）が、複写機で再現可能な第１の大きさで形成される。第１の大きさについては、複写機の性能にもよるが、複写される大きさとして５０μｍ以上である。
【００３３】
なお、本発明における四つの画像部を構成する印刷画線については、複写機で再現可能か否かを画線の大きさという表現を用いて説明するが、この画線の大きさとは、各画線において短辺方向の幅のことをいう。したがって、図５における第１の画線（１３）の第１の大きさは、第１の画線（１３）の短辺方向の画線幅（Ｗ１３）のことである。また、後述する図６に示すような破断線から構成されている第２の画線（１４）の場合については、第２の画線（１４）の画線幅は（Ｗｙ１４）であるが、その第２の画線（１４）を構成している一つ一つの破断線の画線幅（Ｗｘ１４）が、複写機で再現不可能な大きさとなっていることから、本発明でいう、画線の大きさとなる。したがって、本発明において複写機で再現可能か否かを示す画線の大きさは、各画線の短辺方向の幅のことをいう。
【００３４】
以上の構成により、背景部（８）は、幅（Ｗ１３）の第１の画線（１３）が一定のピッチ（Ｐ１）で複数配置されて第１の面積率で形成される。なお、本発明において、面積率とは、基材（２）の一定の面積の中に配置される画線の面積の割合のことである。また、本例では、第１の画線（１３）を実線としているが、本発明において、第１の画線（１３）は、複写機で再現可能な大きさを有するものであれば、直線、曲線、波線等、何ら形状を限定するものではない。
【００３５】
（潜像部）
図６は、潜像部（６）の一部拡大図であり、潜像部（６）に配置される印刷画線は、複写機で再現不可能な第２の大きさの第２の画線（１４）であって、潜像部（６）は、第２の画線（１４）が一定のピッチ（Ｐ１）で規則的に複数配置されて成り、背景部（８）の面積率と等しい第１の面積率で構成される。
【００３６】
図６（ａ）に示す第２の画線（１４）は、画線部（１４ａ）と非画線部（１４ｂ）が一定の周期（Ｄｘ１４）で繰り返される破断線で構成された例である。このとき、印刷画線が一定のピッチ（Ｐ１）で配置される方向の画線部の幅を（Ｗｙ１４）とし、印刷画線の方向である、すなわち、破断線方向の画線部の幅を（Ｗｘ１４）とすると、画線部の幅（Ｗｘ１４）が複写機で再現されない第２の大きさで形成される。第２の大きさについては、複写機の性能にもよるが、複写されない大きさとして５０μｍより小さい大きさである。画線部と非画線部の周期（Ｄｘ１４）が小さくなるほど画線部（１４ａ）同士が接近して、複写機で複写されやすくなる傾向にあることから、第２の画線（１４）が複写機で再現されないように画線部と非画線部の周期（Ｄｘ１４）を適宜調整する必要がある。これと併せて、潜像部（６）と背景部（８）の面積率を等しくするため、背景部（８）の面積率に応じて、第２の画線（１４）の画線部の幅（Ｗｘ１４、Ｗｙ１４）及び画線部と非画線部の周期（Ｄｘ１４）を適宜調整する必要がある。
【００３７】
図６（ａ）は、潜像部（６）の一部拡大図であるため、画線部（１４ａ）と非画線部（１４ｂ）を区分けして視認することができるが、実際の複写、改竄防止用印刷物（１）を目視した場合には、第２の大きさと周期（Ｄｘ１４）が小さいため、目視で区分けすることができず、潜像部（６）に配置される画線（図６中の破線で囲む部分）が一つの画線として視認される。なお、直線状の画線である、すなわち、本発明における第１の画線（１３）と、分断線である、すなわち、本発明における第２の画線（１４）がそれぞれ配置される第１の画像部（８）と第２の画像部（６）の面積率を等しくするための構成については、特許第３２６８４１８号や複写防止画線の技術において、公知となっている。
【００３８】
なお、第２の画線（１４）が破断線で構成される場合、図６（ａ）に示す破断線に対して、図６（ｂ）に示すように、画線部（１４ａ）が傾斜した構成としても良い。また、本例では、第２の画線（１４）を破断線状に画線が配置されたものとしているが、複写機で再現不可能な大きさを有するものであれば、長手方向に分岐した線形状を用いても良い。この構成については、特許第３３６８３２７号に記載の技術であり、詳細については、実施例２で説明する。また、第２の画線（１４）の構成は、特許第３６８９７８６号に記載の１本の画線から複数に分岐し、かつ、一定の間隔で画線部と非画線部が配列された定周期断絶線の構成であっても良く、詳細については、実施例３で説明する。
【００３９】
本例では、背景部（８）と潜像部（６）の境界部分において、図７に示すように、背景部（８）に配置される第１の画線（１３）と、潜像部（６）に配置される第２の画線（１４）が同一線上に配置される構成について説明する。なお、第１の画線（１３）と第２の画線（１４）が同一線状に配置されるとは、図７において一点鎖線で図示するそれぞれの画線の中心線（Ｔ）が同じことである。この第１の画線（１３）と第２の画線（１４）の関係は、特許第３２６８４１８号に記載の複写防止画線の構成と同様である。このとき、第１の画線（１３）と第２の画線（１４）は、目視で一つの直線状の画線として見えるため、潜像が形成されていることを隠蔽する最も優れた形態である。
【００４０】
なお、反射光下で可視画像（９）が観察される原理については後述するが、本発明において、第１の画線（１３）と第２の画線（１４）の中心線の位置が異なる配置であっても、潜像画像（１０）を認識することができない範囲であれば問題ない。これは、第１の画線（１３）と第２の画線（１４）の中心の位置が異なっても、反射光下で観察される中心線の位置が異なることで、顕像化する潜像画像（１０）よりも面積率の差による可視画像（９）の視認性の方が強く、潜像画像（１０）が認識され難いからである。
【００４１】
（可視画像部）
図８は、可視画像部（５）の一部拡大図であり、可視画像部（５）に配置される印刷画線は、第１の画線（１３）と、第２の大きさと同じ又は異なる大きさの複写機で再現不可能な第３の大きさの第３の画線（１５）であって、第１の画線（１３）及び第３の画線（１５）が一定のピッチ（Ｐ１）で交互に規則的に複数配列されて成る。第１の画線（１３）の構成については、前述したとおりである。
【００４２】
図８に示す第３の画線（１５）は、画線部（１５ａ）と非画線部（１５ｂ）が一定の周期（Ｄｘ１５）で繰り返される破断線で構成された例である。このとき、印刷画線が一定のピッチ（Ｐ１）で配置される方向の画線部の幅を（Ｗｙ１５）とし、印刷画線の方向である、すなわち、破断線の方向の画線部の幅を（Ｗｘ１５）とすると、画線部の幅（Ｗｘ１５）が複写機で再現されない第３の大きさで形成される。第３の大きさについては、複写機の性能にもよるが、複写されない大きさとして５０μｍより小さい大きさである。すなわち、第３の画線（１５）の構成は、第２の画線（１４）の構成と同様であるが、第３の画線（１５）が複写機で再現されないための第３の大きさは、５０μｍより小さい大きさであれば第２の大きさと異なっていても良い。
【００４３】
可視画像部（５）は、第１の画線（１３）と第３の画線（１５）が配列されることで、第１の面積率よりも面積率が高い第２の面積率で形成されている。このとき、第３の画線（１５）を構成する画線部（１５ａ）と非画線部（１５ｂ）の周期（Ｄｘ１５）は、第２の画線（１４）を構成する画線部（１４ａ）と非画線部（１４ｂ）の周期（Ｄｘ１４）と異なっていることが反射光下で観察される可視画像（９）のモアレ防止をする上で望ましいが、同じピッチであっても良い。また、本例では、第３の画線（１５）を、画線が破断線状に配置されたものとしているが、複写機で再現不可能な大きさを有するものであれば、第２の画線（１４）と同様に、特許第３３６８３２７号に記載の分岐した画線又は特許第３６８９７８６号に記載の分岐した定周期断絶線を用いても良い。
【００４４】
（共通画像部）      
図９は、共通画像部（７）の一部拡大図であり、共通画像部（７）に配置される印刷画線は、第２の画線（１４）と第３の画線（１５）であって、第２の画線（１４）と第３の画線（１５）が一定のピッチ（Ｐ１）で交互に規則的に複数配列されて成る。第２の画線（１４）と第３の画線（１５）の構成については、前述したとおりである。図９（ａ）では、第２の画線（１４）と第３の画線（１５）が破断線で構成され、第２の画線（１４）を構成する画線部（１４ａ）と非画線部（１４ｂ）の周期（Ｄｘ１４）と、第３の画線（１５）を構成する画線部（１５ａ）と非画線部（１５ｂ）の周期（Ｄｘ１５）が同じ状態を示している。前述したように、図９（ｂ）に示すように、第３の画線（１５）を構成する画線部（１５ａ）と非画線部（１５ｂ）の周期（Ｄｘ１５）と、第２の画線（１４）を構成する画線部（１４ａ）と非画線部（１４ｂ）の周期（Ｄｘ１４）が異なる形態の方が、反射光下で観察される可視画像（９）のモアレが生じにくい。共通画像部（７）は、第２の画線（１４）と第３の画線（１５）が配列されることで、第１の面積率よりも面積率が高く形成されている。
【００４５】
また、共通画像部（７）と可視画像部（５）において、第３の画線（１５）による各画像部の面積率は同じであり、第１の画線（１３）による可視画像部（５）の面積率と第２の画線（１４）による共通画像部（７）の面積率も同じである。したがって、共通画像部（７）の面積率は、可視画像部（５）における第２の面積率に等しい。
【００４６】
以上に説明した複写けん制領域（３）に形成する印刷画線（４）は、基材（２）と異なる色の色材で形成される。用いる色材は、基材（２）と異なる色であれば特に限定されるものではなく、市販されている通常のインク及びインキを用いることができる。また、印刷方式については、オフセット印刷、フレキソ印刷、凸版印刷、グラビア印刷、スクリーン印刷、凹版印刷及びインクジェット印刷等、あらゆる印刷方式で形成することが可能である。
【００４７】
（可視画像）
以上に説明した背景部（８）、潜像部（６）、可視画像部（５）及び共通画像部（７）から成る複写けん制領域（３）において、図２（ａ）に示された「星」の図柄である可視画像（９）は、第２の面積率を有する可視画像部（５）と共通画像部（７）によって形成されている。可視画像部（９）と共通画像部（７）は、第１の面積率よりも面積率の高い第２の面積率で構成されることから、複写けん制領域（３）の中に面積率の差による濃度差が生じて、可視画像（９）を反射光下で観察することができる。
【００４８】
（潜像画像）
図２（ｂ）に示された「月」の図柄である潜像画像（１０）は、複写機で再現不可能な大きさの画線である第２の画線（１４）を有する潜像部（６）と、複写機で再現不可能な大きさの画線である第２の画線（１４）と第３の画線（１５）を有する共通画像部（７）によって形成されている。続いて、潜像画像（１０）が出現する原理について説明する。
【００４９】
図２（ｂ）は、図２（ａ）に示す複写、改竄防止用印刷物（１）をカラー複写機又はモノクロ複写機にて複写した状態を示したものであり、図２（ｂ）の複写物（１１）における複写けん制領域（１２）を拡大すると、図１０に示されたような、それぞれ異なる印刷画線を有する四つの画像部となる。
【００５０】
図１０（ａ）に示された複写物における背景部（８）は、第１の画線（１３）が略そのまま再現されている。図１０（ｂ）に示された複写物における潜像部（６）は、破断線状の第２の画線（１４）が、５０μｍより小さい大きさで形成されているため、複写機の解像度の限界によって複写機には読み込めず、再現されていない。図１０（ｃ）に示された複写物における可視画像部（５）は、第１の画線（１３）が略そのまま再現されているが、破断線状の第３の画線（１５）も、第２の画線同様、５０μｍより小さい大きさで形成されているため、再現されていない。また、図１０（ｄ）に示された複写物における共通画像部（７）は、破断線状の第２の画線（１４）と第３の画線（１５）が、５０μｍより小さい大きさで形成されているため、再現されていない。
【００５１】
これにより、背景部（８）と可視画像部（５）は、第１の画線（１３）が略そのまま再現されるため目視において略等濃度として観察され、潜像部（６）と共通画像部（７）は、第２の画線（１４）と第３の画線（１５）が再現されず、再現されない第２の画線（１４）が配置された潜像部（６）と、複写機で再現不可能な大きさの画線である第２の画線（１４）と第３の画線（１５）を有する共通画像部（７）で構成された潜像画像（１０）が視認される。
【００５２】
前述した実施形態については、図１（ｂ）に示した各画像部が比較的明確に区分けされて可視画像（９）及び潜像画像（１０）を構成した例であったが、別の態様を以下に示す。
【００５３】
図１１は、複写、改竄防止用印刷物（１）における複写けん制領域（３）内の全面に可視画像（９）として地紋模様（１７）が形成されている。この地紋模様（１７）を構成している画線及び各画像部を、以降、詳細に説明する。
【００５４】
地紋模様（１７）には、図１１に示すように、「Ｐ」という文字の潜像画像（１０）が形成されている。図面では、点線にて「Ｐ」の文字を示唆しているが、実際には視認されない。この潜像画像（１０）を構成している領域（Ｐ２）と、それ以外の領域（Ｐ１）において、第１の画線（１３）、第２の画線（１４）及び第３の画線（１５）を用いて可視画像部（５）、潜像部（６）、共通画像部（７）及び背景部（８）が構成されている。
【００５５】
まず、潜像画像（１０）以外の領域（Ｐ１）の画線構成について説明する。地紋模様（１７）の一つの模様（Ｐ１）の拡大図に示すように、実線である第１の画線（１３）のみが配列されている領域が背景部（８）となっており、それ以外の第１の画線（１３）と破断線状の第３の画線（１５）が交互に配列されている領域が可視画像部（５）である。
【００５６】
可視画像部（５）は背景部（８）よりも面積率が大きい。すなわち、可視画像部（５）は、背景部（８）よりも見た目の濃度が高くなっているため、任意の意匠から成る地紋模様（１７）の領域を可視画像部（５）で構成することで観察者には何らかの模様が認識されている。
【００５７】
次に、潜像画像（１０）となる文字「Ｐ」を構成している領域（Ｐ２）について説明する。（Ｐ２）の拡大図に示すように、第３の画線（１５）とは異なる破断線状の第２の画線（１４）のみが配列されている領域が潜像部（６）となっており、それ以外の第２の画線（１４）と第３の画線（１５）が交互に配列されている領域が共通画像部（７）である。
【００５８】
可視画像部（５）は、潜像部（６）よりも面積率が大きい。すなわち、共通画像部（７）は、潜像部（６）よりも見た目の濃度が高くなっているため、任意の意匠から成る地紋模様（１７）の領域を可視画像部（５）で構成することで、観察者には何らかの模様が認識されている。
【００５９】
以上のとおりの画線構成により各画像部を形成した複写、改竄防止用印刷物（１）を複写機で再現した複写物（１１）を図１２に示す。図１２に示すように、潜像画像（１０）である「Ｐ」の文字が白抜き状態で確認される。この「Ｐ」の文字を構成していた第２の画線（１４）と第３の画線（１５）は、いずれも複写機で再現不可能な大きさの破断線で構成されていたため、複写機では再現されず、白抜き状態となっている。
【００６０】
また、潜像画像（１０）の「Ｐ」の文字以外の領域については、複写機で再現不可能な大きさの第３の画線（１５）が再現されずに消失し、複写機で再現可能な大きさの第１の画線（１３）のみが再現されており、フラットな実線のみの状態となったことから、地紋模様（１７）としては再現されていない。
【００６１】
したがって、この形態の複写、改竄防止用印刷物（１）の複写けん制領域は、複写前では、地紋模様（１７）の可視画像が視認され、複写機で複写すると、地紋模様（１７）の可視画像（９）が消失し、潜像画像（１０）の「Ｐ」の文字が出現したこととなり、可視画像（９）と潜像画像（１０）が入れ替わるという劇的な変化を奏したこととなる。
【００６２】
以上説明したように、本発明の複写、改竄防止用印刷物（１）は、共通画像部（７）が反射光で可視画像（９）の視認性に寄与するとともに、複写機で複写したときには、消失して潜像画像（１０）の顕像化に寄与することで、従来技術では不可能であった同じ領域内で視認することができる画像が明瞭にチェンジするという効果を奏し、真偽判別性に優れる。
【００６３】
以上の説明では背景部（８）と潜像部（６）が第１の面積率で形成されることで、等しい濃度として視認することができるが、等しい濃度で視認することができるための構成としては、面積率を同じにするだけでなく、用いる色材の色や、印刷画線（３）を形成する色材の厚さによっても、反射光下で観察される濃度を調整することができる。前述した、複写機で再現可能な大きさと、複写機で再現不可能な大きさの範囲であれば、印刷画線（４）を構成する色材や、厚さを異ならせて、背景部（８）と潜像部（６）の濃度を調整して同じ濃度にしても良い。また、可視画像部（５）と共通画像部（７）についても、これと同様である。ただし、前述した面積率を異ならせる形態は、一つの色材を用いることで複写、改竄防止用印刷物（１）の作製が可能であり、厚さを調整するためのスクリーン印刷やグラビア印刷のような特殊な印刷機を必要としないことから、製造コストが低く、本発明の好ましい形態である。
【００６４】
以下、前述の発明を実施するための形態に従って、具体的に作製した複写、改竄防止用印刷物の実施例について詳細に説明するが、本発明は、この実施例に限定されるものではない。
【実施例１】
【００６５】
実施例１は、第１の画線（１３）を直線で形成し、第２の画線（１４）と第３の画線（１５）を破断線で形成した複写、改竄防止用印刷物（１）である。なお、各画像部の構成については、図１に示す構成と同じ例で説明する。実施例１の複写、改竄防止用印刷物（１）における複写けん制領域（３）の一部拡大図を図１３に示す。
【００６６】
背景部（８）と可視画像部（５）に配置される第１の画線（１３）は、画線幅（Ｗ１３）が５０μｍの直線状の画線を、４５０μｍのピッチで複数配置した。このとき、背景部（８）における第１の面積率は、約１１％となっている。また、潜像部（６）と共通画像部（７）に配置される第２の画線（１４）は、印刷画線が配置される方向の画線部の幅（Ｗｙ１４）を２０７μｍ、破断線の方向の画線部の幅（Ｗｘ１４）を３５μｍとし、画線部と非画線部の周期（Ｄｘ１４）を１４５μｍとした破断線を、４５０μｍのピッチで複数配置した。このとき、潜像部（６）における面積率は、背景部（６）の第１の面積率と同じく約１１％となっている。
【００６７】
また、可視画像部（５）と共通画像部（７）に配置される第３の画線（１５）は、印刷画線が配置される方向の画線部の幅（Ｗｙ１５）を１２０μｍ、破断線の方向の画線部の幅（Ｗｘ１５）を３５μｍとし、画線部と非画線部の周期（Ｄｘ１５）を１５５μｍとした破断線を、４５０μｍのピッチで複数配置した。なお、第３の画線（１５）は、第１の画線（１３）及び第２の画線（１４）と交互に配置しており、第１の画線（１３）と第２の画線（１４）の中心線に対する、第３の画線（１５）の中心線の距離は、２２５μｍとした。可視画像部（５）と共通画像部（７）は、第３の画線（１５）が形成されることで、背景部（８）及び潜像部（６）よりも面積率が高く、第２の面積率は約１７％となっている。
【００６８】
以上の構成で形成した実施例１の複写、改竄防止用印刷物（１）は、反射光下で観察した場合に、第２の面積率で形成された可視画像部（５）と共通画像部（７）で構成される「星」の図柄を視認することができ、複写機で複写すると、潜像部（６）と共通画像部（７）の画線が再現されず、第１の画線（１３）のみが再現されることによって、「月」の図柄を視認することができた。
【実施例２】
【００６９】
実施例２は、第１の画線（１３）を直線で形成し、第２の画線（１４）と第３の画線（１５）を特許第３３６８３２７号に記載の分岐線で形成した複写、改竄防止用印刷物（１）である。なお、各画像部の構成については、図１に示す構成と同じ例で説明する。実施例２の複写、改竄防止用印刷物（１）における複写けん制領域（３）の一部拡大図を図１４に示す。
【００７０】
背景部（８）と可視画像部（５）に配置される第１の画線（１３）は、画線幅（Ｗ１３）を５０μｍの直線状の画線を、４５０μｍのピッチで複数配置した。このとき、背景部（８）における第１の面積率は、約１１％となっている。また、潜像部（６）と共通画像部（７）に配置される第２の画線（１４）は、２本の分岐した直線状の画線（１４Ａ、１４Ｂ）から成り、印刷画線が配置される方向の画線幅（Ｗｙ１４）を２５μｍとし、画線の間隔（Ｄｙ１４）を５０μｍとした。すなわち、実施例２では、第１の画線の画線幅（Ｗ１３）に対して、第２の画線（１４）を構成する分岐した２本の画線の幅（Ｗｙ１４）の和が同じ関係となっている。これによって、背景部（８）と潜像部（６）の面積率は、互いに等しい第１の面積率となっている。
【００７１】
可視画像部（５）と共通画像部（７）に配置される第３の画線（１５）についても、第２の画線（１４）と同様の構成とし、印刷画線が配置される方向の画線幅（Ｗｙ１５）を２５μｍとし、画線の間隔（Ｄｙ１５）を５０μｍとした。なお、第２の画線（１３）と第３の画線（１４）を実施例２で説明する分岐線の構成とする場合に、画線幅（Ｗｙ１４）と画線幅（Ｗｙ１５）は、同じ大きさとする必要はないが、複写機で再現されない大きさとするため、５０μｍより小さくする必要がある。また、第１の画線（１３）と第２の画線（１４）に対して交互に第３の画線（１５）を配置することができる範囲であれば、画線の間隔（Ｄｙ１４）と画線の間隔（Ｄｙ１５）は、異なる大きさであっても良い。
【００７２】
以上の構成で形成した実施例２の複写、改竄防止用印刷物（１）は、実施例１と同様に、反射光下で観察した場合、「星」の図柄を視認することができ、複写機で複写すると、「月」の図柄を視認することができる効果が得られた。
【実施例３】
【００７３】
実施例３の印刷物は、第１の画線（１３）を直線で形成し、第２の画線（１４）と第３の画線（１５）を特許第３６８９７８６号に記載の１本の画線から３本の画線に分岐し、かつ、一定の間隔で画線部と非画線部が配列された定周期断絶線で形成した複写、改竄防止用印刷物（１）である。なお、各画像部の構成については、図１に示す構成と同じ例で説明する。実施例３の複写、改竄防止用印刷物（１）における複写けん制領域（３）の一部拡大図を図１５に示す。
【００７４】
背景部（８）と可視画像部（５）に配置される第１の画線（１３）は、画線幅（Ｗ１３）を５７．５μｍの直線状の画線を、４５０μｍのピッチで複数配置した。このとき、背景部（８）における第１の面積率は、約１３％となっている。また、潜像部（６）と共通画像部（７）に配置される第２の画線（１４）は、３本の分岐した画線（１４Ａ、１４Ｂ及び１４Ｃ）で構成している。なお、ここでの３本の分岐した画線は、複数の破断線が直線上に配列されている状態であり、図１５では、破断線が直線上に配列されたものが３本並列されている状態となっている。この分岐した画線（１４Ａ、１４Ｂ及び１４Ｃ）は、画線部と非画線部が一定の間隔（Ｄｘ１４）で繰り返される定周期断絶線の構成とした。なお、分岐した画線（１４Ａ、１４Ｂ及び１４Ｃ）を構成する画線部は、破断線の方向の画線部の幅（Ｗｘ１４）と印刷画線が配置される方向の画線部の幅（Ｗｙ１４）が４５μｍの正方形で、各画線部同士の間隔（Ｄｘ１４）を１０５μｍとした。また、分岐した画線（１４Ａ）と画線（１４Ｃ）の間隔（Ｄｙ１４）は、４５μｍとした。
【００７５】
可視画像部（５）と共通画像部（７）に配置される第３の画線（１５）についても、第２の画線（１４）と同様の構成とし、分岐した画線（１５Ａ、１５Ｂ及び１５Ｃ）を構成する画線部は、画線部の幅（Ｗｘ１５、Ｗｙ１５）が４５μｍの正方形で、各画線部同士の間隔（Ｄｘ１５）を１０５μｍとした。また、分岐した画線（１５Ａ）と画線（１５Ｃ）の間隔（Ｄｙ１５）は、４５μｍとした。なお、第２の画線（１４）と第３の画線（１５）を実施例３で説明する分岐した破断線の構成とする場合に、画線部の幅（Ｗｘ１４）と画線部の幅（Ｗｘ１５）及び画線部の幅（Ｗｙ１４）と画線部の幅（Ｗｙ１５）は、同じ大きさとする必要はないが、複写機で再現されない大きさとするため、５０μｍより小さくする必要がある。また、第１の画線（１３）と第２の画線（１４）に対して交互に第３の画線（１５）を配置することができる範囲であれば、画線の間隔（Ｄｙ１４）と画線の間隔（Ｄｙ１５）は、異なる大きさであっても良い。
【符号の説明】
【００７６】
１          複写、改竄防止用印刷物
２          基材
３          複写けん制領域
４          印刷画線
５          可視画像部
６          潜像部
７          共通画像部
８          背景部
９          可視画像
１０        潜像画像
１１        複写物
１２        複写物における複写けん制領域
１３        第１の画線
１４        第２の画線
１５        第３の画線
１７        地紋模様
【図１】
2014117892.tif 000003
【図２】
2014117892.tif 000004
【図３】
2014117892.tif 000005
【図４】
2014117892.tif 000006
【図５】
2014117892.tif 000007
【図６】
2014117892.tif 000008
【図７】
2014117892.tif 000009
【図８】
2014117892.tif 000010
【図９】
2014117892.tif 000011
【図１０】
2014117892.tif 000012
【図１１】
2014117892.tif 000013
【図１２】
2014117892.tif 000014
【図１３】
2014117892.tif 000015
【図１４】
2014117892.tif 000016
【図１５】
2014117892.tif 000017